【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
積層造形された物体の表面を処理するための方法において、
積層造形された物体をハウジング内に位置決めすることと、
前記ハウジング内の前記積層造形された物体の処理プロセス及び材料結合の種類を特定するユーザインターフェースからコントローラによってデータを受け取ることと、
前記積層造形された物体を容器内に下降させた後、前記容器内の第１の流体材料へと前記積層造形された物体を下降させ且つ前記積層造形された物体を前記容器内の前記第１の流体材料から上昇させるようにアクチュエータを前記コントローラによって動作させることと、
前記積層造形された物体に塗布された前記第１の流体材料を接着し前記積層造形された物体にコーティングを形成するようにヒータおよびＵＶ放射装置のうちの一方を前記コントローラによって動作させることと、
積層造形された物体の形状データを前記コントローラにダウンロードすることと、
前記積層造形された物体の別の表面の表面粗さよりも大きい表面粗さを有する前記積層造形された物体の少なくとも１つの表面を前記コントローラによって特定することであって、前記表面の特定は、前記コントローラにダウンロードされた前記積層造形された物体の形状データを参照して行われる、特定することと、
前記積層造形された物体の前記特定された少なくとも１つの表面の前記コーティング上に第２の流体材料の液滴を向けるように第２の流体材料源に動作可能に接続された噴霧器を前記コントローラによって動作させることと、
前記噴霧器により向けられた前記第２の流体材料の前記液滴を前記積層造形された物体の前記特定された少なくとも１つの表面の前記コーティングに接着するように前記ヒータおよび前記ＵＶ放射装置のうちの一方を前記コントローラによって動作させることと、を備える、表面処理方法。
【請求項２】
前記積層造形された物体の前記特定された少なくとも１つの表面の前記コーティング上に前記第２の流体材料の前記液滴を向けるように前記コントローラが前記噴霧器を動作させるのにともない、前記噴霧器と向かい合わせに前記積層造形された物体を配置し、支持体と前記支持体上の前記積層造形された物体とを回転させるように前記支持体に動作可能に接続されたアクチュエータを前記コントローラによって動作させることをさらに備える、請求項１に記載の表面処理方法。
【請求項３】
溶媒を前記噴霧器に送られる前記第２の流体材料に混合して前記積層造形された物体の前記特定された少なくとも１つの表面の前記コーティング上に前記噴霧器により向けられる前記第２の流体材料の粘度を低減させるように、溶媒源と前記噴霧器との間に動作可能に接続されたポンプを前記コントローラによって動作させることをさらに備える、請求項１に記載の表面処理方法。
【請求項４】
前記第２の流体材料が前記第１の流体材料とは異なる、請求項１に記載の方法。
【請求項５】
前記コントローラが、前記容器から前記積層造形された物体に塗布された前記第１の流体材料を前記積層造形された物体に接着するように前記ＵＶ放射装置を動作させ、前記第２の流体材料の前記液滴を前記コーティングに接着するように前記ヒータを動作させる、請求項４に記載の方法。
【請求項６】
前記コントローラが、前記容器から前記積層造形された物体に塗布された前記第１の流体材料を、前記積層造形された物体に接着するように前記ヒータを動作させ、前記第２の流体材料の前記液滴を前記コーティングに接着するように前記ＵＶ放射装置を動作させる、請求項４に記載の方法。
【請求項７】
前記第１の流体材料および前記第２の流体材料は、同じ流体材料である、請求項１に記載の方法。
【請求項８】
前記コントローラが、前記容器から前記積層造形された物体に塗布された前記第１の流体材料を前記積層造形された物体に接着し前記第２の流体材料の前記液滴を前記コーティングに接着するように、前記ＵＶ放射装置を動作させる、請求項７に記載の方法。
【請求項９】
前記コントローラが、前記容器から前記積層造形された物体に塗布された前記第１の流体材料を前記積層造形された物体に接着し前記第２の流体材料の前記液滴を前記コーティングに接着するように、前記ヒータを動作させる、請求項７に記載の方法。
【手続補正２】
【補正対象書類名】明細書
【補正対象項目名】発明の名称
【補正方法】変更
【補正の内容】
【発明の名称】積層造形された物体の表面を処理するための方法
【手続補正３】
【補正対象書類名】明細書
【補正対象項目名】０００５
【補正方法】変更
【補正の内容】
【０００５】
積層造形された物体の表面を処理する方法は、積層造形された物体をハウジング内に位置決めすることと、容器内の流体材料へと積層造形された物体を下降させ且つ積層造形された物体を容器内の流体材料から上昇させるようにアクチュエータをコントローラによって動作させること、又は、積層造形された物体の表面に流体材料を塗布して積層造形された物体の透明性又は光沢性を向上させるために積層造形された物体の表面上に流体材料の液滴を向けるように流体材料源に動作可能に接続された噴霧器をコントローラによって動作させることとを含み、流体材料源若しくは容器内の流体材料が、積層造形された物体の表面を形成するのと同じ材料である流体材料である。本発明に関連する技術は、積層造形された物体の表面を処理するためのシステムにおいて、ハウジングと、積層造形された物体の表面に流体材料の液滴を向けるように構成された流体材料源に接続された噴霧器、及び、流体材料を含む容器内へと前記積層造形された物体を下降させ且つ前記積層造形された物体を前記容器から上昇させるように構成されたアクチュエータのうちの少なくとも一方であって、前記流体材料源又は前記容器内の流体材料が前記積層造形された物体の表面と同じ材料である流体材料であるものと、前記噴霧器及び前記アクチュエータのうちの少なくとも一方に動作可能に接続されたコントローラであって、前記容器内の流体へと前記積層造形された物体を下降させ且つ前記積層造形された物体を前記容器内の流体から上昇させるように前記アクチュエータを動作させるように、又は、前記積層造形された物体の表面に前記流体材料を塗布して前記積層造形された物体の透明性又は光沢性を向上させるために前記積層造形された物体の表面上に前記流体材料の液滴を向けるように噴霧器を動作させるように構成されたコントローラとを備える、表面処理システムである。上記関連する技術は、さらに、前記ハウジング内に位置決めされたヒータを備え、前記コントローラが前記ヒータに動作可能に接続されており、前記コントローラが前記積層造形された物体の表面に塗布された前記流体材料を乾燥させるように前記ヒータを動作させるようにさらに構成されている。上記関連する技術は、さらに、紫外線（ＵＶ）放射源を備え、前記流体源又は前記容器内の前記流体材料が、前記積層造形された物体の表面を形成するために使用されるのと同じＵＶ硬化性流体材料であるＵＶ硬化性流体材料であり、前記コントローラが、前記ＵＶ放射源に動作可能に接続されており、前記積層造形された物体の表面の前記ＵＶ硬化性流体材料に塗布された前記ＵＶ硬化性流体材料を硬化させるように前記ＵＶ放射源を動作させるようにさらに構成されている。上記関連する技術は、さらに、前記噴霧器の反対側に前記積層造形された物体を配置するように位置決めされた支持体と、前記支持体に動作可能に接続されたアクチュエータとを備え、前記コントローラが、前記支持体に動作可能に接続された前記アクチュエータに動作可能に接続されており、前記支持体を回転させるように前記アクチュエータを動作させるのにともない、前記積層造形された物体に前記流体材料を塗布するように前記噴霧器を動作させるように構成されている。上記関連する技術では、前記システムが、前記積層造形された物体の表面に前記流体材料の液滴を向けるように構成された前記流体材料源に接続された前記噴霧器と、流体材料を含む容器内へと前記積層造形された物体を下降させ且つ前記積層造形された物体を前記容器から上昇させるように構成されたアクチュエータとの双方を含み、さらに、前記コントローラに動作可能に接続されたユーザインターフェースであって、積層造形された物体の表面を処理するための浸漬又は噴霧動作を特定し、前記噴霧器についての前記流体材料源内の前記流体材料又は前記容器内の前記流体材料がＵＶ硬化性流体材料であるかどうかを特定するように構成されたユーザインターフェースと、前記コントローラに動作可能に接続されたヒータと、前記コントローラに接続されたＵＶ放射源とを備え、前記コントローラが、さらに、前記噴霧器及び前記アクチュエータの双方に動作可能に接続されており、前記コントローラが、さらに、前記容器内の流体へと前記積層造形された物体を下降させ且つ前記積層造形された物体を前記容器内の流体から上昇させるように前記アクチュエータを動作させ、且つ、前記積層造形された物体の表面に前記流体材料を塗布して前記積層造形された物体の透明性又は光沢性を向上させるために前記積層造形された物体の表面上に前記流体材料の液滴を向けるように噴霧器を動作させ、且つ、ＵＶ硬化性流体材料ではない前記積層造形された物体の表面に塗布された前記流体材料を乾燥させるように前記ヒータを動作させ、且つ、前記積層造形された物体の表面に塗布されたＵＶ硬化性流体材料を硬化させるように前記ＵＶ放射源を動作させるように構成されている。本発明に関連する技術は、積層造形された物体の表面を処理するための方法において、積層造形された物体をハウジング内に位置決めすることと、容器内の流体材料へと前記積層造形された物体を下降させ且つ前記積層造形された物体を前記容器内の前記流体材料から上昇させるようにアクチュエータをコントローラによって動作させること、又は、前記積層造形された物体の表面に前記流体材料を塗布して前記積層造形された物体の透明性又は光沢性を向上させるために前記積層造形された物体の表面上に前記流体材料の液滴を向けるように流体材料源に動作可能に接続された噴霧器を前記コントローラによって動作させることとを備え、前記流体材料源若しくは前記容器内の前記流体材料が、前記積層造形された物体の表面を形成するのと同じ材料である流体材料である。上記関連する技術では、さらに、前記ハウジング内に位置決めされたヒータを備え、前記積層造形された物体の表面に塗布された前記流体材料を乾燥させるように前記ハウジング内に位置決めされたヒータを前記コントローラによって動作させることを備える。上記関連する技術では、さらに、前記積層造形された物体の表面のＵＶ硬化性材料に塗布されたＵＶ硬化性材料を硬化させるようにＵＶ放射源を前記コントローラによって動作させることを備え、前記流体源又は前記容器内の前記流体材料が、前記積層造形された物体の表面を形成するのに使用されるのと同じＵＶ硬化性材料であるＵＶ硬化性流体材料である。上記関連する技術では、さらに、前記噴霧器の反対側に前記積層造形された物体を配置するように位置決めされた支持体と、前記支持体に動作可能に接続されたアクチュエータとを備え、前記支持体を回転させるように前記噴霧器の反対側に前記積層造形された物体を配置するように位置決めされた支持体に動作可能に接続されたアクチュエータを前記コントローラによって動作させるのにともない、前記コントローラが、前記積層造形された物体に前記流体材料を塗布するように前記噴霧器を動作させることを備える。上記関連する技術では、前記方法が、前記コントローラが、前記積層造形された物体の表面に前記流体材料の液滴を向けるように構成された前記流体材料源に接続された前記噴霧器を動作させることと、流体材料を含む容器内へと前記積層造形された物体を下降させ且つ前記積層造形された物体を前記容器から上昇させるように構成された前記アクチュエータを動作させることとの双方を含み、前記方法が、さらに、前記積層造形された物体の表面が浸漬又は噴霧動作によって処理されることになる旨の特定と、前記噴霧器についての前記流体材料源内の前記流体材料又は前記容器内の前記流体材料がＵＶ硬化性流体材料であるかどうかに関する特定とを前記コントローラに動作可能に接続されたユーザインターフェースを介して受け取ることと、前記噴霧器、前記アクチュエータ、ヒータ、及びＵＶ放射源を前記コントローラによって動作させることとを備え、前記コントローラが、前記ユーザインターフェースから受け取った前記流体材料の特定を参照して、ＵＶ硬化性材料ではない前記積層造形された物体の表面に塗布された材料を乾燥させるように前記ヒータを動作させ、前記コントローラが、前記ユーザインターフェースから受け取った前記流体材料の特定を参照して、前記積層造形された物体の表面に塗布されたＵＶ硬化性材料を硬化させるように前記ＵＶ放射源を動作させる。